(57)【特許請求の範囲】
【請求項１】
軒先を横切る縦断面形状が略Ｌ字状に形成される軒先役物を、その軒に沿った方向での両端の木口面同士を当接して、屋根下地材の上に固着し、この軒先役物上に平板屋根材を、その側端面同士を当接しながら横方向に並べて葺設し、さらにこの下段の平板屋根材上に上段の平板屋根材を重合葺設する平板屋根材の軒先葺設構造において、前記軒先役物に少なくとも一個のフラッシング材を固着し、このフラッシング材の略中央に平板屋根材の側端面が上部にくるように配設し、さらにこの下段の平板屋根材の略中央にフラッシング材を固着し、さらに上段の平板屋根材を下段の平板屋根材及びフラッシング材を被装するように重合葺設するにあたって、フラッシング材の位置決め手段として、軒先役物の上面に複数個の段部を形成し、この段部内にフラッシング材を挿着することを特徴とする平板屋根材の軒先葺設構造。
【請求項２】
上記フラッシング材の位置決め手段として、軒先役物の上面に複数個の非貫通孔を設けたことを特徴とする請求項１記載の平板屋根材の軒先葺設構造。
【請求項３】
上記軒先役物の材質が平板屋根材と同じセメント系であることを特徴とする請求項１又は２記載の平板屋根材の軒先葺設構造。
【発明の詳細な説明】
【０００１】
【発明の属する技術分野】
本発明は、セメント系、スレート系、粘土系等の窯業系、樹脂系、ガラス系等でできた平板屋根材の軒先葺設構造に関するものである。
【０００２】
【従来の技術】
従来は、図３に示したように屋根下地材２０上に葺設される平板瓦２１を端部同士を突き合せるようにして隣合わせで配置し、各平板瓦２１の突き合わされた端部下面に相互に連続する凹所２２を形成し、薄シート材２３の上面より複数の水切り突条２４が突設された水切り材２５を凹所２２内に収納配置する平板瓦２１の設置構造がある。このような平板瓦２１の設置構造では、軒先部分に凹所２２が露出し、又、平板瓦２１の重厚感に乏しく外観が悪いという問題があった。又、薄シート材２３の長さが長くなり、切断作業や取付け作業等で施工に手間がかかるという問題があった。
【０００３】
【発明が解決しようとする課題】
本発明は上記問題点の解決を目的とするものであり、軒先役物を施工する際に同時にフラッシング材を固定することにより、施工時間の短縮、フラッシング材の位置決めが簡単で、しかも平板屋根材と同質の軒先役物を用いているので軒先部分の重厚感を現出することができる平板屋根材の軒先葺設構造を提供するものである。
【０００４】
【課題を解決するための手段】
本発明の請求項１記載の平板屋根材の軒先葺設構造は、軒先を横切る縦断面形状が略Ｌ字状に形成される軒先役物を、その軒に沿った方向での両端の木口面同士を当接して、屋根下地材の上に固着し、この軒先役物上に平板屋根材を、その側端面同士を当接しながら横方向に並べて葺設し、さらにこの下段の平板屋根材上に上段の平板屋根材を重合葺設する平板屋根材の軒先葺設構造において、前記軒先役物に少なくとも一個のフラッシング材を固着し、このフラッシング材の略中央に平板屋根材の側端面が上部にくるように配設し、さらにこの下段の平板屋根材の略中央にフラッシング材を固着し、さらに上段の平板屋根材を下段の平板屋根材及びフラッシング材を被装するように重合葺設するにあたって、フラッシング材の位置決め手段として、軒先役物の上面に複数個の段部を形成し、この段部内にフラッシング材を挿着することを特徴とするものである。
【０００５】
したがって、軒先役物を施工する際に同時にフラッシング材を固定することにより、施工時間の短縮が可能となり、雨仕舞い性が良好となり、しかも平板屋根材と同質の軒先役物を用いているので軒先部分の重厚感を現出することができるものである。また、軒先役物の上面に複数個の段部を形成し、この段部内にフラッシング材を挿着するので、簡単に軒先役物を装着することができるものである。
【０００６】
本発明の請求項２記載の平板屋根材の軒先葺設構造は、請求項１記載の軒先役物の上面に複数個の非貫通孔を設けたことを特徴とする。
【０００７】
したがって、フラッシング材がビスやボルトにより簡単に軒先役物に取り付けられるので施工が簡便である。
【０００８】
本発明の請求項３記載の平板屋根材の軒先葺設構造は、軒先役物の材質が平板屋根材と同じセメント系であるので、軒先の重厚感を現出することができる。
【０００９】
【発明の実施の形態】
図１及び図２は、請求項１乃至請求項３に係る発明に対応する一実施形態の平板屋根材の軒先葺設構造を示す図であり、以下に説明する。
【００１０】
図１において、縦断面略Ｌ字状の軒先役物１の長手方向の木口面２を当接して合板等でできた野地板上に防水シートを屋根面に敷設した屋根下地材９に固着し、この軒先役物１上に平板屋根材３ａの側端面４を当接しながら横方向に葺設し、さらにこの下段の平板屋根材３ａの上に上段の平板屋根材（図示省略）を重合葺設する平板屋根材の軒先葺設構造において、前記軒先役物１に少なくとも一個の薄板状のフラッシング材５を固着し、このフラッシング材５の略中央に平板屋根材３ａの側端面が上部にくるように配設し、さらにこの下段の平板屋根材３ａの略中央にフラッシング材５を固着し、さらに上段の平板屋根材を下段の平板屋根材３ａ及びフラッシング材５を被装するように重合葺設する平板屋根材の軒先葺設構造である。
【００１１】
したがって、平板屋根材３ａ及び軒先役物１の施工が薄板状のフラッシング材５を介して施工するので、防水性が良好となり、施工時間の短縮が可能となる。又、踏み割れ強度も強くなるものである。このフラッシング材５は、薄鉄板やアルミニウム型材等や不燃性の樹脂で形成されるものである。しかもセメント系、スレート系、粘土系等の窯業系、樹脂系、ガラス系等でできた平板屋根材３ａと同質の軒先役物１を用いているので、簡単に軒先部分の重厚感を現出することができる。
【００１２】
又、軒先役物１にフラッシング材５の位置決め手段を設ければ、フラッシング材５が簡単に軒先役物１に取り付けられるので施工が簡便である。図１のように、軒先役物１の上面６に複数個の非貫通孔７を設けたもので、このフラッシング材５がビスやボルトにより簡単に軒先役物１に取り付けられるので施工が簡便である。さらに、図２に示したように、軒先役物１の上面６にフラッシング材５の板厚及び板幅に形成された凹状の溝部８が設けられ、この溝部８にフラッシング材５が挿着されるようになっている。
【００１３】
尚、フラッシング材５の上面に樹脂製の水切り突条を突設して雨仕舞いを改良するようにしても良いものである。又、屋根面の上方に雨水が上昇しないようにフラッシング材５の後端に椀状の水受け部（図示せず）を設けても良いものである。
【００１４】
以下、本発明の施工手順を説明する。まず、軒先の野地板等の上に防水シートを屋根面に敷設した屋根下地材９上に縦断面略Ｌ字状の軒先役物１の長手方向の木口面２を当接して屋根下地材９に固着しながら、横方向に葺設していく。そして、この軒先役物１上に平板屋根材３ａの側端面４を当接しながら横方向に葺設していく。このとき、軒先役物１に少なくとも一個の薄板状のフラッシング材５を固着しており、このフラッシング材５の略中央に平板屋根材３ａの側端面が上部にくるように配設する。
【００１５】
さらにこの下段の平板屋根材３ａの略中央にフラッシング材５を固着し、さらに上段の平板屋根材を下段の平板屋根材３ａ及びフラッシング材５を被装するように重合し横方向に葺設するようにするものである。そして、棟方向へ順次施工していくものである。
【００１６】
この平板屋根材の軒先葺設構造では、フラッシング材５によって、下段の平板屋根材３ａが支持されるのでガタツクこともなく釘打ち施工が可能となり、施工効率が増大する。又、平板屋根材上に人が乗ってもフラッシング材５の耐久性によって、踏み割れ強度が増大する。さらに、フラッシング材５を予め軒先役物１に固着しておけばより施工効率が増大するとともに取り付け忘れも防止することができるので便利である。
【００１７】
【発明の効果】
上述の如く、本発明の請求項１記載の平板屋根材の軒先葺設構造は、軒先を横切る縦断面形状が略Ｌ字状に形成される軒先役物を、その軒に沿った方向での両端の木口面同士を当接して、屋根下地材の上に固着し、この軒先役物上に平板屋根材を、その側端面同士を当接しながら横方向に並べて葺設し、さらにこの下段の平板屋根材上に上段の平板屋根材を重合葺設する平板屋根材の軒先葺設構造において、前記軒先役物に少なくとも一個のフラッシング材を固着し、このフラッシング材の略中央に平板屋根材の側端面が上部にくるように配設し、さらにこの下段の平板屋根材の略中央にフラッシング材を固着し、さらに上段の平板屋根材を下段の平板屋根材及びフラッシング材を被装するように重合葺設するにあたって、フラッシング材の位置決め手段として、軒先役物の上面に複数個の段部を形成し、この段部内にフラッシング材を挿着するようにしているので、軒先役物を施工する際に同時にフラッシング材を固定することにより、施工時間の短縮が可能となり、雨仕舞い性が良好となり、しかも平板屋根材と同質の軒先役物を用いているので軒先部分の重厚感を現出することができるものである。また軒先役物の上面に複数個の段部を形成し、この段部内にフラッシング材を挿着するので、簡単に軒先役物を装着することができるものである。
【００１８】
本発明の請求項２記載の平板屋根材の軒先葺設構造は、軒先役物の上面に複数個の非貫通孔を設けているので、フラッシング材がビスやボルトにより簡単に軒先役物に取り付けられるので施工が簡便である。
【００１９】
本発明の請求項３記載の平板屋根材の軒先葺設構造は、軒先役物の材質が平板屋根材と同じセメント系であるので、軒先の重厚感を現出することができる。
【図面の簡単な説明】
【図１】  本発明の平板屋根材の軒先葺設構造の全体を示す軒先部の斜視図である。
【図２】  本発明の平板屋根材の軒先葺設構造の軒先役物を示す斜視図である。
【図３】  従来の平板瓦の設置構造を示す要部の斜視図である。
【符号の説明】
１    軒先役物
２    木口面
３ａ  下段の平板屋根材
４    側端面
５    フラッシング材
６    上面
７    非貫通孔
８    溝部
９    屋根下地材
【図１】
0003811389.tif 000002
【図２】
0003811389.tif 000003
【図３】
0003811389.tif 000004